【事件の表示】
　平成　８年特許願第２４１１３７号「パチンコ機」拒絶査定不服審判事件〔平成１０年３月３日出願公開、特開平１０−５７５５４〕について、次のとおり審決する。
【結　論】
　本件審判の請求は、成り立たない。
【理　由】
１．手続の経緯
　本願は、平成８年８月２３日の出願であって、平成１３年２月８日付（平成１３年２月１４日発送）で拒絶の理由が通知され、平成１３年４月９日付で手続補正がなされ、平成１３年１０月５日付（平成１３年１０月１１日発送）で拒絶査定がなされ、同年１０月３１日に拒絶査定に対する審判請求がなされるとともに、同日付で手続補正がなされたものである。
　　　　
２．平成１３年１０月３１日付の手続補正（以下、「本件補正」という。）について
（１）本件補正の内容
　本件補正は、補正前の特許請求の範囲の請求項２を削除し、それに伴い、補正前の特許請求の範囲の請求項３〜請求項８を一つずつ繰り上げると共に、特許請求の範囲中における引用に係る請求項を、前記一つずつの繰り上げに合わせて整理補正し（前者）、また、補正前の特許請求の範囲の請求項７（本件補正における特許請求の範囲の請求項６）中の「球支持面を円筒体」を「球支持面を回転筒」と補正する（後者）ことを含むものである。
（２）本件補正の適否
　前者の補正は、特許法第１７条の２第４項第１号に規定する請求項の削除を目的とするものであり、また、後者の補正は、特許法第１７条の２第４項第４号に規定する明りょうでない記載の釈明を目的とするものであるから、本件補正は、特許法第１７条の２第４項の規定に適合する。
　　　　　
３．本願発明
　本願の請求項１に係る発明（以下、「本願発明」という。）は、平成１３年４月９日付手続補正及び平成１３年１０月３１日付手続補正により補正された明細書の特許請求の範囲の請求項１に記載されている事項により特定される以下のとおりのものである。
「複数の図柄を画面上に変動表示する図柄表示装置と、
球検出手段を備えた始動領域と、
前記球検出手段からの球検出信号に起因して図柄表示装置を変動表示させて、各図柄を確定表示する図柄制御手段とを備え、
確定された各図柄の組合わせが所定の当り図柄態様である場合に、遊技者に所定の利得をもたらす作動を発生させるパチンコ機において、
　前記図柄表示装置の前方に、球入口から打球が流入する球受け領域を形成し、かつ球受け領域の下部に、球受け領域内に入った打球を排出する球出口を形成し、さらに該球出口の下方に、前記始動領域を配設し、
球受け領域内に、周方向に二以上の面を備えた回動板又は多面体で構成され、その二以上の面が、始動領域の直上付近に球を寄せる球案内作用を有する案内受面と、案内作用を生じない分散面との組からなり、回動モータにより前後方向に回動して、球受け領域内に流入した球を球出口側に放出すると共に、その回転に伴って、始動領域直上への球の放出割合を変化させる振分け回動体を配設したことを特徴とするパチンコ機。」
　　　　　
４．各引用例に記載された発明
（１）特開平４−２００５７７号公報に記載された発明
　原査定の拒絶の理由に引用された、本願出願前に国内において頒布された刊行物である特開平４−２００５７７号公報（以下、「第１引用例」という。）には、
（ア）「遊技領域２の中央には大当りの遊技（特別遊技）の権利の発生のための可変表示ゲームを行なう可変表示部２１を備えた可変表示ゲーム装置としての可変表示装置２０が設置されている」（第２頁右下欄第３〜７行）、「前記液晶表示パネル３４０は後述の可変表示制御手段からの表示制御指令に基づいて可変表示ゲーム用の各種図柄（数字や文字、記号等を含む。）を液晶表示するものである」（第９頁右下欄第４〜７行）、「始動入賞口４に遊技球が入賞するとその入賞が始動入賞検出スイッチＳＷ１により検出されてその入賞の始動検出信号が入賞記憶手段４０１に送られる」（第１５頁左下欄第８〜１１行）、「始動入賞口４，５，６への入賞を記憶する入賞記憶手段４０１と、該入賞記憶手段４０１からの信号に基づき前記可変表示部２１の動作のタイミングを制御する・・・動作タイミング制御手段４０２と、該動作タイミング制御手段４０２からの信号に基づき・・・表示変動の開始と変動態様と停止を制御する可変表示制御手段４０６，４０７，４０８」（第１４頁左下欄第１７行〜右下欄第１３行）、及び図面第１図（第４３頁）、第８〜１０図（第４５〜４６頁）、第２１図（第５０頁）の記載から、複数の図柄を液晶表示パネル３４０上に変動表示する可変表示装置２０と、始動入賞検出スイッチＳＷ１を備えた始動入賞口５と、前記始動入賞検出スイッチＳＷ１からの球検出信号に起因して可変表示装置２０を変動表示させて、各図柄を停止表示する可変表示制御手段４０６〜４０８が開示されていると認められること、
（イ）「停止時の図柄が３つとも一致した態様となっているときには“大当り”となって大当りの遊技・・・が行われる」（第７頁左上欄第２０行〜右上欄第２行）の記載から、停止された各図柄が一致した態様となっているときに、大当りの遊技が行われる構成が開示されていると認められること、
（ウ）「鎧部２１６の上部左側は、遊技球を球交流空間２２２ａに導くための球流入口２１１となっている。そして・・・遊技球は前記取付け板部２１３に設けられている誘導口２１２を介して前記球交流空間２２２ａに流下される」（第８頁右下欄第２〜８行）、「球交流空間２２２ａ内の前記球誘導部材３１５上に落下して、遊技者の視界に入ってくるようにされている。該球誘導部材３１５上に落下した遊技球は・・・球誘導部材３１５のねじ山に当たって跳ねてそのまま遊技領域２の下方に落下するか、ねじ山とねじ山との間で誘導されて・・・連結部３１５ｂ側に送られる。そして、その遊技球は該連結部３１５ｂに当接した時点で、そのまま前枠２００の前面側下部中央に流下する」（第１０頁左下欄第１１行〜右下欄第２行）、「包囲枠２２１内中央に至った遊技球を前記始動入賞口５の上に導いて落下させる案内凹部２２５が・・・設けられている」（第８頁右下欄第１７〜２０行）、「遊技球は・・・案内凹部２２５に流下し前記始動入賞口５に入賞しやすいように落下される」（第１０頁右下欄第３〜７行）、第１図（第４３頁）、第７図（第４５頁）及び第１１図（第４７頁）の記載から、可変表示装置２０の前方に、球流入口２１１及び誘導口２１２から遊技球が流入する球交流空間２２２ａを形成し、かつ球交流空間２２２ａの下部に、球交流空間２２２ａ内に入った遊技球を排出する球出口を形成し、さらに該球出口の下方に、前記始動入賞口５を配設する構成が開示されているものと認められること、
（エ）「収容枠３１１の左右の自由端にはモータ３１４の軸に連結されて回転する球誘導部材３１５が取り付けられている」（第９頁右上欄第１８〜２０行）、「左右の両スクリュー３１６，３１７のそれぞれの円筒部は連結部３１５ｂで連結されており・・・前記左右の両スクリュー３１６，３１７は図面奥から手前に向かって回転する」（第９頁左下欄第５〜１０行）、上記（ウ）の第１０頁左下欄第１１行〜右下欄第２行及び第１１図（第４７頁）の記載から、球交流空間２２２ａ内に、始動入賞口５の直上付近に球を寄せる球案内作用を有し、回動モータ３１４により前後方向に回動して、球交流空間２２２ａ内に流入した球を球出口側に放出する球誘導部材３１５を配設する構成が開示されていると認められること、からみて、第１引用例には、以下の発明（以下、「引用発明」という。）が記載されているものと認められる。
「複数の図柄を液晶表示パネル３４０上に変動表示する可変表示装置２０と、
始動入賞検出スイッチＳＷ１を備えた始動入賞口５と、
前記始動入賞検出スイッチＳＷ１からの球検出信号に起因して可変表示装置２０を変動表示させて、各図柄を停止表示する可変表示制御手段４０６〜４０８とを備え、
停止された各図柄が一致した態様となっているときに、大当りの遊技が行われるパチンコ機において、
　前記可変表示装置２０の前方に、球流入口２１１及び誘導口２１２から遊技球が流入する球交流空間２２２ａを形成し、かつ球交流空間２２２ａの下部に、球交流空間２２２ａ内に入った遊技球を排出する球出口を形成し、さらに該球出口の下方に、前記始動入賞口５を配設し、
球交流空間２２２ａ内に、始動入賞口５の直上付近に球を寄せる球案内作用を有し、回動モータ３１４により前後方向に回動して、球交流空間２２２ａ内に流入した球を球出口側に放出する球誘導部材３１５を配設したパチンコ機。」
　　　
（２）実願平１−３１４００号（実開平２−１２３２８５号）のマイクロフィルムに記載された発明
　原査定の拒絶の理由に周知技術として引用された、本願出願前に国内において頒布された刊行物である実願平１−３１４００号（実開平２−１２３２８５号）のマイクロフィルム（以下、「第２引用例」という。）には、
（ア）「特別入賞口３７へ球が入球すると、この球を継続スイッチ３９が検出して遊技者にとって利益状態となる特別遊技に移行する」（明細書第１８頁第２〜４行）の記載、
（イ）「遊技部１０と大入賞口２３とを連通させて遊技部１０を流下する球を大入賞口２３に流入可能とする」（明細書第１５頁第１６〜１８行）の記載、
（ウ）「枠体２９の下方部分に位置してフランジ部３０の前方に突出すると共に仕切板３１で横三連に仕切られた球受枠部３２」（明細書第７頁第１〜４行）、「横三連に仕切られた球受枠部３２の中央には・・・特別入賞口３７を形成し」（明細書第７頁第１０〜１３行）、図面第３図及び図面第４図の記載から、大入賞口２３の下部に、大入賞口２３に入った打球を排出する球受枠部３２を形成し、さらに該球受枠部３２の中央に、特別入賞口３７を配設する構成が開示されていると認められること、
（エ）「球落下口４６の下方には、水平方向の回転軸６０を有し、駆動源２８の作動により前回りに回転する回転体２７を臨ませる」（明細書第９頁第１６〜１８行）、「回転体２７の周面には球が嵌入可能な球溝６８・・・を軸方向に平行して複数設ける。この球溝６８は、例えば、球の直径とほゞ同じ幅及び深さを有する３本の第１球溝６８ａと・・・軸方向の長さの中央に向って若干下り傾斜する第２球溝６８ｂとからなり」（明細書第１０頁第１３〜１８行）、「第２球溝６８ｂには長さ方向の中央に向かう傾斜が設けてあるので、球が傾斜底板４２の中央部分に落下して中央の特別入賞口３７へ入球する確率が高い」（明細書第１２頁第１９行〜第１３頁第２行）、「大入賞口に流入した球が、回転体の何れの球溝に、また球溝のどこに嵌入するかによって、回転体から放出される球の流下勢や放出される方向が多様に変化し、遊技性が向上する」（明細書第２２頁第４〜７行）、図面第３図、図面第４図及び図面第５図の記載から、大入賞口２３に、周方向に二以上の面を備えた多面体で構成され、その二以上の面が、特別入賞口３７の直上付近に球を寄せる球案内作用を有する軸方向の長さの中央に向かって若干下り傾斜する第２球溝６８ｂと、案内作用を生じない球の直径とほぼ同じ幅及び深さを有する３本の第１球溝６８ａとの組からなり、駆動源２８により前回りに回転して、大入賞口２３内に流入した球を球受枠部３２側に放出すると共に、その回転に伴って、特別入賞口３７直上への球の放出割合を変化させる回転体２７を配設する構成が開示されているものと認められること、からみて、第２引用例には、以下の発明が記載されているものと認められる。
「継続スイッチ３９を備えた特別入賞口３７と、
特別入賞口３７へ球が入球すると、この球を継続スイッチ３９が検出して遊技者にとって利益状態となる特別遊技に移行するパチンコ機において、
　遊技部１０と大入賞口２３とを連通させて遊技部１０を流下する球を大入賞口２３に流入可能とし、かつ大入賞口２３の下部に、大入賞口２３に入った打球を排出する球受枠部３２を形成し、さらに該球受枠部３２の中央に、前記特別入賞口３７を配設し、
大入賞口２３に、周方向に二以上の面を備えた多面体で構成され、その二以上の面が、特別入賞口３７の直上付近に球を寄せる球案内作用を有する軸方向の長さの中央に向かって若干下り傾斜する第２球溝６８ｂと、案内作用を生じない球の直径とほぼ同じ幅及び深さを有する３本の第１球溝６８ａとの組からなり、駆動源２８により前回りに回転して、大入賞口２３内に流入した球を球受枠部３２側に放出すると共に、その回転に伴って、特別入賞口３７直上への球の放出割合を変化させる回転体２７を配設したパチンコ機。」
　　　　
５．対比
　そこで、本願発明（前者）と引用発明（後者）とを比較すると、後者の「液晶表示パネル３４０」、「可変表示装置２０」、「始動入賞検出スイッチＳＷ１」、「始動入賞口５」、「停止」、「可変表示制御手段４０６〜４０８」、「各図柄が一致した態様となっているときに」、「大当りの遊技が行われる」、「球流入口２１１及び誘導口２１２」、「遊技球」、「球交流空間２２２ａ」及び「球誘導部材３１５」がそれぞれの機能に照らし、それぞれ前者の「画面」、「図柄表示装置」、「球検出手段」、「始動領域」、「確定」、「図柄制御手段」、「各図柄の組合わせが所定の当り図柄態様である場合に」、「遊技者に所定の利得をもたらす作動を発生させる」、「球入口」、「打球」、「球受け領域」及び「回動体」に相当するものと認められるから、両者は、以下の点でそれぞれ、一致並びに相違するものと認められる。
　一致点．
「複数の図柄を画面上に変動表示する図柄表示装置と、
球検出手段を備えた始動領域と、
前記球検出手段からの球検出信号に起因して図柄表示装置を変動表示させて、各図柄を確定表示する図柄制御手段とを備え、
確定された各図柄の組合わせが所定の当り図柄態様である場合に、遊技者に所定の利得をもたらす作動を発生させるパチンコ機において、
　前記図柄表示装置の前方に、球入口から打球が流入する球受け領域を形成し、かつ球受け領域の下部に、球受け領域内に入った打球を排出する球出口を形成し、さらに該球出口の下方に、前記始動領域を配設し、
球受け領域内に、始動領域の直上付近に球を寄せる球案内作用を有し、回動モータにより前後方向に回動して、球受け領域内に流入した球を球出口側に放出する回動体を配設したパチンコ機。」
　相違点．
　回動体が、前者は、周方向に二以上の面を備えた回動板又は多面体で構成され、その二以上の面が、始動領域の直上付近に球を寄せる球案内作用を有する案内受面と、案内作用を生じない分散面との組からなり、その回転に伴って、始動領域直上への球の放出割合を変化させる振分け機能を具備するのに対し、後者は、始動領域の直上付近に球を寄せる球案内作用を有するものの、前者に係る構成を具備していない点。
　　　　　
６．判断
　上記相違点について検討するに、第２引用例に記載されたパチンコ機の発明の「遊技部１０と大入賞口２３とを連通させて遊技部１０を流下する球を大入賞口２３に流入可能とし」、「大入賞口２３」、「球受枠部３２」、「軸方向の長さの中央に向かって若干下り傾斜する第２球溝６８ｂ」、「球の直径とほぼ同じ幅及び深さを有する３本の第１球溝６８ａ」、「駆動源２８」、「前回りに回転」及び「回転体２７」がそれぞれの機能に照らし、それぞれ前者の「球入口から打球が流入する球受け領域を形成し」、「球受け領域」、「球出口」、「案内受面」、「分散面」、「回動モータ」、「前後方向に回動」及び「回動体」に相当するものと認められるから、前者が「始動領域」であるのに対して、第２引用例に記載された発明が「特別入賞口３７」であるという相違はあるものの、第２引用例に記載された発明には、「周方向に二以上の面を備えた多面体で構成され、その二以上の面が、所定領域の直上付近に球を寄せる球案内作用を有する案内受面と、案内作用を生じない分散面との組からなり、回動モータにより前後方向に回動して、球受け領域内に流入した球を球出口側に放出すると共に、その回転に伴って、所定領域直上への球の放出割合を変化させる振分け回動体」として、上記相違点に係る前者の構成と同様の構成が示されており、該構成は、周知技術と認められる。
　そうすると、後者も第２引用例に記載された発明に示される前記周知技術も、球受け領域内に回動体を備えるパチンコ機に関し、何れの回動体も球案内作用を有するものであるとともに、後者の回動体は、始動領域の直上付近に球を寄せる球案内作用を有するものであるから、後者において、その回動体に代えて前記周知技術の回動体を採用して、上記相違点に係る前者の構成のようにすることは、当業者が容易に想到できるものである。
　そして、前者の作用効果も、後者に前記周知技術を適用したものにおいて、当業者が当然予測できるものと認められる。
　したがって、前者は、後者及び周知技術に基づいて、当業者が容易に発明をすることができたものである。
　　　　
７．むすび
　以上のとおり、本願の請求項１に係る発明は、第１引用例に記載された発明及び周知技術に基づいて、当業者が容易に発明をすることができたものであるから、特許法第２９条第２項の規定により、特許を受けることができない。
　したがって、特許請求の範囲の請求項２乃至７に係る発明について検討するまでもなく、本願は拒絶すべきものである。
　よって、結論のとおり審決する。